(57)【要約】【課題】  簡便な構成で容易に利用可能な、安全且つ確実なカード保護装置を提供する。【解決手段】  カード保護装置１０において、カードの外形寸法と略一致するように形成された金属製の防護プレート１２と、この防護プレート１２を内部に収容する樹脂カバー１４を備えるようにする。【選択図】図１
0003111976.tif 000002
【実用新案登録請求の範囲】
【請求項１】
カードの長手方向寸法及び幅方向寸法と略一致する外形寸法で形成された金属製の防護プレートと、
前記防護プレートを内部に収容する樹脂製のカバーと、
を備ることを特徴とするカード保護装置。
【請求項２】
日本銀行１万円札の長手方向寸法及び幅方向寸法と略一致する外形寸法で形成された金属製の防護プレートと、
前記防護プレートを内部に収容する樹脂製のカバーと、
を備ることを特徴とするカード保護装置。
【請求項３】
カードの外形寸法よりも長手方向及び幅方向に小さく形成された金属製の防護プレートと、
前記防護プレートを内部に収容すると共に、外形寸法が前記カードと略同等に設定された樹脂製のカバーと、
を備ることを特徴とするカード保護装置。
【請求項４】
日本銀行１万円札の外形寸法よりも長手方向及び幅方向に小さく形成された金属製の防護プレートと、
前記防護プレートを内部に収容すると共に、外形寸法が前記日本銀行１万円札と略同等に設定された樹脂製のカバーと、
を備ることを特徴とするカード保護装置。
【請求項５】
並列配置される複数の金属製の防護プレートと、
前記複数の防護プレートを内部に収容する樹脂製のカバーと、を備え、
隣接する前記防護プレートの境界において屈曲可能となっていることを特徴とするカード保護装置。
【請求項６】
前記カバーの素材として、塩化ビニル系素材が用いられていることを特徴とする請求項１乃至５のいずれか記載のカード保護装置。
【請求項７】
請求項１又は３記載のカード保護装置と、請求項２又は４記載のカード保護装置を一組として備えることを特徴とするカード保護装置。
【考案の詳細な説明】
【技術分野】
【０００１】
本考案は、ＩＣを搭載したカード等の情報漏出を防止するカード保護装置に関する。
【背景技術】
【０００２】
近年、日ごろ持ち歩くことになるカードの機能が高度化してきている。例えば、カードの機能として、クレジット機能、電子マネー機能、電車の定期券機能、企業のタイムカード機能など様々なものが単独又は複合形態で存在するようになっている。これらの機能の実現には、カードにＩＣチップが搭載されたいわゆる「ＩＣカード」が普及してきたことが大いに関係している。
【０００３】
このＩＣカードは、カードの内部にＩＣチップと無線通信アンテナが内蔵されているものが一般的であり、外部の通信端末と無線通信を行うことで、ＩＣカードに様々な情報を書き込んだり、プログラムを保存させたりすることが可能である。ポイントカード等の用途の場合は、ＩＣチップに個人情報が書き込まれることも多い。
【考案の開示】
【考案が解決しようとする課題】
【０００４】
しかしながら、この種のＩＣカードは、無線通信によって情報の授受が可能であることから、様々な状況において情報が勝手に盗み出される可能性があった。例えば、ＩＣカードを財布やカードケースに収納していたとしても、その外部から大きなエネルギーを有する通信電波によって無線通信を行えば、ＩＣカードとの間で情報の授受が可能になってしまうという問題があった。
【０００５】
本考案は上記問題点に鑑みてなされたものであり、簡易な構成によって、簡便且つ効果的に、カードの情報漏出を防止可能なカード保護装置を提供することにある。
【課題を解決するための手段】
【０００６】
上記目的は、以下の手段によって達成される。
【０００７】
（１）カードの長手方向寸法及び幅方向寸法と略一致する外形寸法で形成された金属製の防護プレートと、前記防護プレートを内部に収容する樹脂製のカバーと、を備ることを特徴とするカード保護装置。
【０００８】
（２）日本銀行１万円札の長手方向寸法及び幅方向寸法と略一致する外形寸法で形成された金属製の防護プレートと、前記防護プレートを内部に収容する樹脂製のカバーと、
【０００９】
を備ることを特徴とするカード保護装置。
【００１０】
（３）カードの外形寸法よりも長手方向及び幅方向に小さく形成された金属製の防護プレートと、前記防護プレートを内部に収容すると共に、外形寸法が前記カードと略同等に設定された樹脂製のカバーと、を備ることを特徴とするカード保護装置。
【００１１】
（４）日本銀行１万円札の外形寸法よりも長手方向及び幅方向に小さく形成された金属製の防護プレートと、前記防護プレートを内部に収容すると共に、外形寸法が前記日本銀行１万円札と略同等に設定された樹脂製のカバーと、を備ることを特徴とするカード保護装置。
【００１２】
（５）並列配置される複数の金属製の防護プレートと、前記複数の防護プレートを内部に収容する樹脂製のカバーと、を備え、隣接する前記防護プレートの境界において屈曲可能となっていることを特徴とするカード保護装置。
【００１３】
（６）前記カバーの素材として、塩化ビニル系素材が用いられていることを特徴とする上記（１）乃至（５）のいずれか記載のカード保護装置。
【００１４】
（７）上記（１）又は（３）記載のカード保護装置と、上記（２）又は（４）記載のカード保護装置を一組として備えることを特徴とするカード保護装置。
【考案の効果】
【００１５】
本考案のカード保護装置によれば、財布やカードケース等に挿入するだけで、容易且つ確実にカードの情報漏えいを防止することが可能になる。
【考案を実施するための最良の形態】
【００１６】
以下、本考案の実施の形態の例について図面を参照しながら詳細に説明する。
【００１７】
図１には本考案の第１実施形態に係るカード保護装置１０が示されている。このカード保護装置１０は、鉛によって構成される防護プレート１２と、この防護プレートに被覆される樹脂カバー１４を備える。防護プレート１２は、クレジットカード等の規格寸法より、それぞれ内側に２ミリメートル後退したサイズとなっている。即ち、クレジットカードの外寸（本実施形態では、ＪＩＳ／ＩＳＯの規格サイズである８５．６×５４．０×０．７６ミリメートル）に対して長辺（長手）方向に４ミリメートル、短辺（幅）方向に４ミリメートル短い寸法となっている。防護プレート１２の厚みは、防護レベルによって適宜選択可能であるが、ここでは０．１ミリメートルに設定している。
【００１８】
樹脂カバー１４は、塩化ビニルシートによって構成されており、内部に防護プレート１２が収容されている。この樹脂カバー１４は、２枚の塩化ビニルシートを防護プレート１２の両面に配置し、その周囲を幅２ミリメートル弱の圧着領域１４Ａによって圧着することで製造される。内部に防護プレート１２を収容した状態において、樹脂カバー１４の外形寸法はクレジットカードと全く一致させるようにしている。
【００１９】
このカード保護装置１０によれば、外部の無線通信端末（カード書き込み／読み込み機能を有する端末）からの電波が、防護プレート１２によって遮断されるので、ＩＣカードとの無線通信を阻害することが可能になる。また、樹脂カバー１４を含めた全体のサイズが、ＩＣカードのサイズに設定されているので、財布やカードケースにおけるカード専用ポケットに挿入することができる。従って、現在保有している財布等にカード保護装置１０を挿入しておくだけで、外部からのスキミング行為を防ぐことができる。
【００２０】
なお、ここではクレジットカードの外寸よりも防護プレート１２が小さく設定されている場合を示したが、クレジットカードの長手方向寸法及び幅方向寸法と、防護プレート１２の同寸法を略一致させることも好ましい。このようにすると、より確実に、スキミングを防止することが可能になる。その際においても、防護プレート１２の被覆する樹脂カバー１４が柔軟性を有しているので、既存の財布やカードケースに十分収納可能となっている。
【００２１】
図２には、本考案の第２実施形態に係るカード保護装置１１０が示されている。なお、このカード保護装置１１０において、第１実施形態のカード保護装置１０と共通・類似する部品、部材等に関しては、図中の符号の下二桁を一致させることで、重複する説明は省略し、相違点に絞って詳細に説明する。
【００２２】
このカード保護装置１１０の防護プレート１１２は、日本銀行１万円札の規格サイズより、それぞれ内側に２ミリメートル後退した寸法となっている。即ち、１万円札の外寸（７６×１６０ミリメートル）に対して長辺方向に４ミリメートル、短辺方向に４ミリメートル短いサイズである。なお、１万円札にあわせたのは、日本銀行が発行する紙幣で最も大きいサイズだからである。樹脂カバー１１４は、２枚の塩化ビニルシートを防護プレート１１２の両面に配置し、その周囲を幅２ミリセンチメートルの圧着領域１１４Ａによって圧着することで製造される。内部に防護プレートが１１２を収容した状態において、樹脂カバー１１４の外形サイズは１万円札と全く一致させている。
【００２３】
なお、ここでは日本銀行１万円札の外寸よりも防護プレート１１２が小さく設定されている場合を示したが、日本銀行１万円札の長手方向寸法及び幅方向寸法と、防護プレート１１２の同寸法を略一致させることも好ましい。このようにすると、より確実に、スキミングを防止することが可能になる。その際においても、防護プレート１１２の被覆する樹脂カバー１１４が柔軟性を有しているので、既存の財布に十分収納可能となっている。
【００２４】
次に、第１及び第２実施形態のカード保護装置１０、１１０の利用方法について説明する。図３に示されるように、両開きタイプの財布７０のカード挿入ポケット７２に対して、ＩＣクレジットカード７４と重ね会わせた状態で、カード保護装置１０を挿入する。この際、ＩＣクレジットカード７４に対してカード保護装置１０が裏側（即ち、財布７０を閉じた状態においてカード保護装置１０が外側）に位置するように挿入する。同様に財布７０における紙幣挿入ポケット７６には、カード保護装置１１０を挿入する。両者とも、外寸をカードや１万円札のサイズに一致させており、更に樹脂カバー１４、１１４が柔軟性を有しているので、確実に挿入可能となっている。
【００２５】
このようにカード保護装置１０、１１０を挿入した状態で、財布や７０を折り畳むと、図４に示されるように、ＩＣクレジットカード７４が、カード保護装置１０、１１０によって挟まれた状態となる。従って、両外からのＩＣクレジットカード７４に対する無線通信電波を遮断することができ、ＩＣチップの蓄積された情報を盗み出すことが阻害される。一般的に、両開き態様の財布７０は、一方の面に紙幣挿入ポケット７６、他方の面にカード挿入ポケット７２を有しているので、上記カード保護装置１０、１１０を一組のセットとして提供すれば、各種財布に対して柔軟に対応できるようになる。
【００２６】
また、これらのカード保護装置１０、１１０は、ＩＣクレジットカード７４や１万円札のサイズと一致しているので、既存の財布７０やカードケース等に挿入可能であり、簡単且つ確実に防犯対策を施すことができる。
【００２７】
なお、本考案者の鋭意研究によると、最も望ましくは防護プレート１２、１１２をカードのサイズと一致させて、カード全体を覆うようにするべきである。なおその際は、防護プレート１２、１１２の周囲を、柔軟性を有する樹脂カバーで覆うことで、様々なスペースに挿入できるようにすることが好ましい。
【００２８】
更に本実施形態では、金属性の防護プレート１２、１１２が樹脂カバーによって被覆されているので、金属アレルギー等の者でも利用できるようになっている。また外周の幅２ミリメートルにわたって形成される圧着領域が柔軟性を有しているので、カード挿入ポケット７２のサイズが多少窮屈であっても、挿入可能となっている。
【００２９】
次に図５を参照して、本考案の第３実施形態に係るカード保護装置２１０について説明する。なお、このカード保護装置２１０において、第１実施形態のカード保護装置１０と共通・類似する部品、部材等に関しては、図中の符号の下二桁を一致させることで、重複する説明は省略するとともに、相違点に絞って説明する。
【００３０】
このカード保護装置２１０では、２枚の防護プレート２１２、２１２が用意されており、それぞれが、日本銀行１万円札の外形の半分のサイズ（３８×８０ミリメートル）に対して長辺方向に４ミリメートル、短辺方向に４ミリメートル短い寸法になっている。従って、樹脂カバー２１４には、２枚の防護プレート２１２、２１２の双方が収容された状態となっている。具体的には、２枚の塩化ビニルシートを、防護プレート２１２、２１２の両面に配置し、その周囲を２ミリセンチメートルの幅で圧着するとともに、防護プレート２１２、２１２の境界２１４Ｓも圧着して、防護プレート２１２、２１２が互いに動かないようにしている。樹脂カバー２１４の内部に防護プレートが２１２を収容した状態において、樹脂カバー２１４の外形寸法は１万円札と略同等に設定されている。
【００３１】
このカード保護装置２１０によれば、紙幣を中央で屈曲させて収容するような小型財布であっても、境界２１４Ｓの部分でカード保護装置２１０を容易に屈曲させることができるので、小型財布の紙幣収容スペースに挿入しても邪魔にならない。また、繰り返し曲げ応力が作用しても、防護プレート２１２、２１２にはその応力が作用しないで済むので、防護プレート２１２、２１２における疲労断裂を回避でき、長期間利用することが可能となる。なお、本第３実施形態においては、２枚の防護プレート２１２、２１２を利用する場合に限って示したが、本考案はそれに限定されず、更に小さな防護プレートを多数配置することで、どの位置でも容易に屈曲できるようにすることも望ましい。例えば、図６に示されるように、外寸が１万円札と略一致するようなカード保護装置３１０の内部に、細い帯状の防護プレート３１２を、その幅方向に多数並列配置しておくことで、各境界３１４Ｓのそれぞれにおいて自由に屈曲させるようにしてもよい。
【００３２】
なお、この第３実施形態においても、多数配置された防護プレート郡によって構成される全体の長手方向及び幅方向のサイズを、カード又は日本銀行一万円札と略一致させるようにしてもよい。
【００３３】
以上、本実施形態では、防護プレートの素材として鉛を用いた場合に限って示したが、本考案はそれに限定されず、金、銀、プラチナ、鉄等、通信を阻害するような各種金属素材を用いることが可能である。また、樹脂カバーの素材としては塩化ビニルに限って示したが、本考案はそれに限定されず、ポリエチレン、ポリプロピレン等のポリオレフィン系、ポリスチレン、ポリエチレンテレフタレート、ポリエチレンイソフタレート等のポリエステル系、ナイロンやエチレンビニルアルコール共重合体、等の各種合成樹脂を用いることも可能である。
【００３４】
尚、本考案のカード保護装置は、上記した実施の形態に限定されるものではなく、本考案の要旨を逸脱しない範囲内において種々変更を加え得ることは勿論である。
【産業上の利用可能性】
【００３５】
本考案のカード保護装置は、財布以外のカードケース等の様々な場面において利用することが可能である。
【図面の簡単な説明】
【００３６】
【図１】本考案の第１実施形態に係るカード保護装置を示す図
【図２】本考案の第２実施形態に係るカード保護装置を示す図
【図３】同カード保護装置の利用形態を示す斜視図
【図４】同カード保護装置の利用形態を示す断面図
【図５】本考案の第３実施形態に係るカード保護装置を示す図
【図６】第３実施形態に係るカード保護装置の他の例を示す図
【符号の説明】
【００３７】
１０、１１０、２１０、３１０        カード保護装置
１２、１１２、２１２、３１２        防護プレート
１４、１１４、２１４、３１４        樹脂カバー
７０                                財布
７２                                カード挿入ポケット
７６                                紙幣挿入ポケット
【図１】
0003111976.tif 000003
【図２】
0003111976.tif 000004
【図３】
0003111976.tif 000005
【図４】
0003111976.tif 000006
【図５】
0003111976.tif 000007
【図６】
0003111976.tif 000008